(57)【要約】【課題】国や地域によって異なる時差を、簡単な操作で時差入力が出来ると共に、標準電波を受信できなくても簡単な手動操作で時刻修正が出来る電波修正時計を実現する。【解決手段】時刻情報を含む標準電波を受信する受信部２０と、受信した標準電波を解読して時刻情報を出力する制御手段２５ａと、該時刻情報に基づいて時刻を計時する計時手段２５ｃと、該計時手段２５ｃによって計時された計時情報を表示する表示部３と、前記時刻情報に対する時差情報を入力する入力操作部２７と、該入力操作部２７によって入力された前記時差情報を記憶する記憶回路２６と、前記時差情報によって前記時刻情報を修正する時刻修正手段２５ｂとを備え、更に、時差解除手段２５ｄによって、記憶回路２６に記憶された時差情報を無効に出来るように構成した。【選択図】      図２
2005055195.tif 000002
【特許請求の範囲】
【請求項１】
時刻情報を含む標準電波を受信する受信手段と、受信した標準電波を解読して前記時刻情報を出力する制御手段と、前記時刻情報に基づいて時刻を計時する計時手段と、該計時手段によって計時された計時情報を表示する表示手段と、前記時刻情報に対する時差情報を入力する入力手段と、該入力手段によって入力された前記時差情報を記憶する記憶手段と、前記時差情報によって前記時刻情報を修正する時刻修正手段と、を有することを特徴とする電波修正時計。
【請求項２】
前記入力手段は、前記時差情報を１時間単位で入力する第１の入力操作系統を備えることを特徴とする請求項１記載の電波修正時計。
【請求項３】
更に、前記入力手段は、前記計時手段によって計時される前記計時情報を１時間単位で修正する第２の入力操作系統と、前記計時情報を１分単位で修正する第３の入力操作系統の、いずれか一つ、または、両方を備えることを特徴とする請求項１または２記載の電波修正時計。
【請求項４】
更に、前記記憶手段が記憶する前記時差情報を、前記入力手段の操作によって無効にする時差解除手段を備えることを特徴とする請求項１乃至３何れかに記載の電波修正時計。
【請求項５】
標準電波を受信する工程と、受信した標準電波を解読して時刻情報を出力する工程と、該時刻情報を計時して計時情報を出力する工程と、該計時情報を表示する工程と、前記時刻情報に対する時差情報を入力する工程と、該時差情報を記憶する工程と、前記時差情報によって前記時刻情報を修正する工程と、を有することを特徴とする電波修正時計の制御方法。
【発明の詳細な説明】
【０００１】
【発明の属する技術分野】
本発明は時刻情報を含む標準電波を受信し、受信した時刻情報に基づいて時刻を自動修正する電波修正時計に関し、特に時差設定及び時刻修正方法の改良に関するものである。
【０００２】
【従来の技術】
時刻情報を含む標準電波を小型アンテナで受信し、時刻修正を自動的に行う電波修正時計は、アンテナの小型高性能化、受信装置の低消費電力化、コストダウン等の技術開発が進み、製品化が盛んに行われている。また、標準電波を送信する送信局も日本だけでなく、アメリカ、ヨーロッパ、アジアと各国各地域で建設が進み世界的な広がりを見せている。しかし、このような電波修正時計は、受信した標準電波の時刻情報を正確に表示することが出来るが、この機能には不都合な面も有している。例えば、電波修正時計の使用者が時間に余裕を持たせるために、受信した標準時より一定時間だけ時間を進めて表示しようとしても、電波修正時計は標準電波を受信すると、受信した標準時に自動修正されるので、標準時に対し一定時間を進めたり遅れたりして表示させることは困難であった。
【０００３】
このような問題点を解決するために、時刻情報を含む電波を受信する時刻情報受信手段と、受信した時刻情報と表示する表示時刻情報との差分となる時刻差分情報を１分単位で入力する入力手段と、時刻差分情報を記憶する記憶手段と、時刻差分情報に基づいて表示時刻情報を補正する時刻補正手段とを備えた時計装置が提案されている（例えば特許文献１参照）。
【０００４】
上記時計装置によれば、受信した時刻情報に対して、使用者の意図する通りに、表示時刻を進ませる、あるいは、遅らせることが出来るので、時刻表示の信頼性が高いだけでなく、使用者の意図する時刻を任意に時刻表示出来るので、使い勝手の良い時計として使用することが出来る。
【０００５】
【特許文献１】
特開２００１−１３２８０号公報（特許請求の範囲、第１図）
【０００６】
【発明が解決しようとする課題】
しかしながら、上記時計装置では、時刻情報に対する差分設定が１分単位であるので、分単位での時刻差分情報の入力では、比較的簡単に時刻差分情報を入力できるが、時刻差分情報が１時間を超すような場合などでは、入力操作回数が増えて非常に煩わしい操作となる。特に時計の使用者が、標準電波のエリア内で時差の異なる国や地域に移動した場合、その国や地域の標準時に時刻を合わせる必要が生じるが、時差が変わる最小単位は通常１時間であるので、時刻差分情報を入力する場合は、少なくても１時間以上の時刻差分情報を入力する必要があり、１分単位での入力では入力操作が煩わしく操作性に大きな問題がある。
【０００７】
また、時刻情報を含む標準電波を受信できない場合は、手動操作によって時刻を修正する必要があるが、上記提案の時計装置では、時刻情報を含む標準電波を受信できない場合の時刻修正が考慮されていないために、何らかの原因で標準電波を受信できない場合等では、時計としての機能を果たすことが出来ない可能性があり、基本的な機能に問題がある。
【０００８】
本発明の目的は上記課題を解決して、時差の異なる国や地域を移動することに伴い時差設定を行う場合、時差設定操作が容易であり、且つ、標準電波を受信出来ない場合に於いても、簡単な手動操作で時刻修正が出来る、操作性と信頼性に優れた電波修正時計を提供することである。
【０００９】
【課題を解決するための手段】
上記課題を解決するために、本発明の電波修正時計は、下記記載の構成と方法を採用する。
【００１０】
本発明の電波修正時計は、時刻情報を含む標準電波を受信する受信手段と、受信した標準電波を解読して時刻情報を出力する制御手段と、該時刻情報に基づいて時刻を計時する計時手段と、該計時手段によって計時された計時情報を表示する表示手段と、前記時刻情報に対する時差情報を入力する入力手段と、該入力手段によって入力された前記時差情報を記憶する記憶手段と、前記時差情報によって前記時刻情報を修正する時刻修正手段と、を有することを特徴とする。
【００１１】
本発明の電波修正時計により、時差情報を入力手段によって入力し記憶出来るので、国や地域の時差に応じた時刻の修正を容易に、且つ、確実に行うことが出来る。
【００１２】
また、前記入力手段は、前記時差情報を１時間単位で入力する第１の入力操作系統を備えることを特徴とする。
【００１３】
これにより、時差情報の入力を１時間単位で行うことが出来るので、時差設定を迅速に行うことが出来る。
【００１４】
また更に、前記入力手段は、前記計時手段によって計時される前記計時情報を１時間単位で修正する第２の入力操作系統と、前記計時情報を１分単位で修正する第３の入力操作系統の、いずれか一つ、または、両方を備えることを特徴とする。
【００１５】
これにより、手動によって時刻修正を行う場合、時間の修正は１時間単位で行い、分の修正は１分単位で行うことが出来るので、時刻修正を容易に、且つ、確実に行うことが出来る。
【００１６】
また更に、前記記憶手段が記憶する前記時差情報を、前記入力手段の操作によって無効にする時差解除手段を備えることを特徴とする。
【００１７】
これにより、入力した時差情報を無効にすることが出来るので、次回受信する標準電波の時刻情報が時差情報によって修正されることなく、受信した時刻情報をそのまま表示することが出来る。
【００１８】
本発明の制御方法は、標準電波を受信する工程と、受信した標準電波を解読して時刻情報を出力する工程と、該時刻情報を計時して計時情報を出力する工程と、該計時情報を表示する工程と、前記時刻情報に対する時差情報を入力する工程と、該時差情報を記憶する工程と、前記時差情報によって前記時刻情報を修正する工程と、を有することを特徴とする。
【００１９】
本発明の制御方法により、入力工程によって入力された時差情報により、受信工程によって受信された時刻情報を修正するので、国や地域の時差に応じた時刻表示が可能となり、時差設定が容易で信頼性の高い電波修正時計を提供することが出来る。
【００２０】
【発明の実施の形態】
以下、本発明の実施の形態を図面に基づいて詳細に説明する。図１は本発明の実施形態である電波修正時計と標準電波を送信する送信局との関係を示した説明図である。図１に於いて、１はアナログ表示方式の電波修正時計である。２は金属等によって成る外装であり、３は表示手段としての表示部であり、秒針３ａ、分針３ｂ、時針３ｃ、及び日付を表示する日付表示部３ｄによって構成される。
【００２１】
４は超小型の受信アンテナであり、外装２の内部の１２時方向に配置されているが、この位置に限定されるものではなく、例えば９時方向に配置されてもよい。５は入力手段の一部に相当する時刻や日付を修正するリューズであり、後述するが複数の電気的なスイッチと連動している。６と７は入力手段の一部に相当する操作ボタンであり、後述するがそれぞれ電気的なスイッチと連動している。８は使用者（図示せず）の腕に装着するためのバンドである。
【００２２】
１０は標準時である時刻情報を含む標準電波を送信する送信局である。１１は標準電波を放射する送信アンテナであり、１２は標準時を高精度で計時する原子時計である。１３は送信アンテナ１１から送信される時刻情報としての標準時を搬送する標準電波である。標準電波１３は通常数十ＫＨｚの長波によってなり、半径９００Ｋｍ程度の範囲で受信することが出来る。尚、標準電波１３の送信周波数や時刻情報フォーマットは、各国又は各地域の送信局でそれぞれ個別に設定されている。
【００２３】
ここで、電波修正時計１で標準電波１３を受信するには、好ましくは電波修正時計１の受信アンテナ４が配置されている位置を、送信局１０がある方向に向け、受信開始ボタン（例えば操作ボタン７）を押下する。これにより、電波修正時計１は受信動作を開始し、標準電波１３を受信する。次に電波修正時計１は標準電波１３の時刻情報フォーマットに対応する解読アルゴリズムを用いて解読し、秒分時や日付等の時刻情報と必要に応じて閏年やサマータイムの有無データ等を取得し、取得した時刻情報を計時して表示部３によって時刻情報や日付を表示する。尚、標準電波の受信は深夜などのノイズが少なく受信環境の良い時刻に定期的に実行させることが好ましい。
【００２４】
次に図２に基づいて本発明の実施形態である電波修正時計１の回路ブロックの構成と動作を説明する。図２に於いて、２０は受信手段としての受信部であり、標準電波を受信する受信アンテナ４と、該受信アンテナ４と同調して標準電波を選択的に受信するための同調ＩＣ２１によって構成され、同調信号Ｐ１０を出力する。２３は受信ＩＣであり、同調信号Ｐ１０を入力してデジタル化された復調信号Ｐ１１を出力する。２４は基準信号源であり、内部に水晶振動子（図示せず）を有し時刻を計時するための基準信号Ｐ１２を出力する。
【００２５】
２５はマイクロコンピュータ（以降、マイコンと略す）であり、詳細は後述するが復調信号Ｐ１１と基準信号Ｐ１２を入力して計時情報としての計時データＰ１３を出力する。２６は記憶手段としての記憶回路であり、マイコン２５からの時差情報としての時差データＰ１４を記憶する。２７は入力手段の一部に相当する入力操作部であり、スイッチＳ１〜Ｓ６によって構成され、それぞれスイッチ信号Ｐ１〜Ｐ６を出力し、該スイッチ信号Ｐ１〜Ｐ６はマイコン２５に入力される。尚、スイッチＳ１〜Ｓ６の片側の端子は、電源Ｖｄｄに接続される。
【００２６】
ここで、スイッチＳ１は図１で示した操作ボタン６が押下されることによりＯＮし、スイッチＳ２は操作ボタン７が押下されることによりＯＮする。また、スイッチＳ３は図１で示したリューズ５を１段引くことによりＯＮし、スイッチＳ４はリューズ５を２段引くことによりＯＮする。また、スイッチＳ５はリューズ５を電波修正時計１の１２時方向に回転することによりＯＮし、スイッチＳ６はリューズ５を６時方向に回転することによりＯＮする。
【００２７】
次に、マイコン２５の主要な内部機能を説明する。２５ａは受信した標準電波を解読する制御手段であり、受信ＩＣ２３からの復調信号Ｐ１１を入力して時刻情報としての時刻データＰ１５を出力する。２５ｂは時刻修正手段であり、時刻データＰ１５と記憶回路２６からの時差データＰ１４とを入力し、時刻情報としての時刻設定データＰ１６を出力する。２５ｃは計時手段であり、時刻設定データＰ１６と基準信号Ｐ１２とを入力し、計時情報としての計時データＰ１３を出力する。
【００２８】
２５ｄは時差解除手段であり、時差解除信号Ｐ１７を記憶回路２６に対して出力する。また、マイコン２５は標準電波の受信開始を指示する受信開始信号Ｐ１８を、同調ＩＣ２１と受信ＩＣ２３に出力する。また、図示しないが、マイコン２５は入力操作部２７からのスイッチ信号Ｐ１〜Ｐ６を入力して、各動作モードに切り替える制御機能を有する。以上のように、マイコン２５は電波修正時計１の中核を担うエレメントであり、電波修正時計１の動作フロー全体を制御する。また、前述の操作ボタン６、７とリューズ５と入力操作部２７及びマイコン２５が、特許請求の範囲に於ける第１、第２、第３の入力操作系統に相当する。
【００２９】
次に表示部３は、前述した如く秒針３ａ、分針３ｂ、時針３ｃ、日付表示部３ｄによって構成され、図示しないがモータと輪列等による機械伝達機構を有し、計時データＰ１３を入力して時刻を表示する。尚、表示部３に内蔵されるモータは、秒針３ａと分針３ｂを駆動する第１のモータと、時針３ｃと日付表示部３ｄを駆動する第２のモータによって構成される。２８は電源であり、一次電池又は太陽電池（図示せず）により充電される二次電池等によって成り、図示しないが電源ラインを介して各回路ブロックに電源を供給する。
【００３０】
次に図２に基づいて、本発明の実施形態である電波修正時計１の基本動作を説明する。電源２８が電源ライン（図示せず）を介して各回路ブロックに電力を供給すると、マイコン２５は初期化処理を実行して各回路ブロックを初期化する。この結果、マイコン２５の計時手段２５ｃは初期化されてＡＭ００：００：００となり、表示部３は計時手段２５ｃからの計時データＰ１３によって駆動され、表示部３の秒針３ａ、分針３ｂ、時針３ｃは、基準位置であるＡＭ００：００：００に移動し、また、日付表示部３ｄも基準位置に移動する。
【００３１】
次に基準信号源２４は基準信号Ｐ１２の出力を開始し、マイコン２５は、該基準信号Ｐ１２を入力して計時手段２５ｃによって１秒毎の計時を開始し、計時データＰ１３を更新する。表示部３はマイコン２５からの計時データＰ１３によって１秒ごとの運針を開始する。次にマイコン２５は、外部からの受信開始操作（例えば操作ボタン７の押下）、又は、内部のタイマーによる受信開始命令を受けて、受信開始信号Ｐ１８を出力する。受信部２０の同調ＩＣ２１は、受信開始信号Ｐ１８を入力して受信アンテナ４と共に同調回路を形成し、選択された標準電波を受信して同調信号Ｐ１０を出力する。
【００３２】
次に、受信ＩＣ２３は、受信開始信号Ｐ１８によって同調信号Ｐ１０の増幅及び検波を開始し、デジタル化された復調信号Ｐ１１を出力する。マイコン２５の制御手段２５ａは、復調信号Ｐ１１を入力して内部に記憶している解読アルゴリズムに従って復調信号Ｐ１１の時刻情報フォーマットを解読し、秒、分、時、日等の標準時としての時刻情報を取得する。
【００３３】
マイコン２５の時刻修正手段２５ｂは、制御手段２５ａによって取得された時刻情報としての時刻データＰ１５を入力し、該時刻データＰ１５と、記憶回路２６に記憶されている時差データＰ１４とを加算し、その加算結果を時刻設定データＰ１６として出力する。すなわち、時刻設定データＰ１６は、時刻データＰ１５が時差データＰ１４によって修正された時刻情報となる。
【００３４】
次に計時手段２５ｃは、入力された時刻設定データＰ１６を計時情報として記憶し、該記憶された計時情報を前記基準信号Ｐ１２によって順次１秒毎に計時し、計時データＰ１３として出力する。この結果、表示部３は受信して取得された時刻データＰ１５に時差データＰ１４が加算され修正された時刻を表示し、１秒運針を継続する。
【００３５】
また、時差解除手段２５ｄは、詳細は後述するが、入力操作部２７の操作によって時差解除信号Ｐ１７を出力する。記憶回路２６は、時差解除信号Ｐ１７を入力すると、記憶している時差データＰ１４を消去し時差データＰ１４は零時間となる。ここで、時差データＰ１４が消去され零時間になると、時刻設定データＰ１６は時刻データＰ１５に等しくなり、この結果、表示部３は、受信して取得された時刻データＰ１５による時刻をそのままを表示する。尚、記憶回路２６に記憶される時差データＰ１４は、入力操作部２７を操作することにより入力され記憶されるが、入力方法の詳細は後述する。
【００３６】
次に図３と図４及び図８に基づいて、本発明の第１の実施形態である電波修正時計１の時差設定及びカレンダ・秒分修正方法を説明する。図３は時差設定方法を示すフローチャートであり、図４は、カレンダ・秒分修正方法を示すフローチャートである。また、図８は本発明の第１の実施形態に於ける時差設定モードでの電波修正時計１の表示部３の表示状態を示しており、この図８も含めて第１の実施形態を説明する。
【００３７】
図３に於いて、電波修正時計１は、１秒ごとの通常運針を行っている（フローＳＴ１）。図８（ａ）は通常運針での表示部３の表示状態を示し、一例としてＡＭ１０時１０分００秒で日付は７日を表示している。また、表示部３の周辺部の５０秒の位置には、時差がセットされているという意味の“ＳＥＴ”という文字が、また、４５秒の位置には、時差がセットされていないという意味の“±０”という文字がマーキングされている。これは、時差データＰ１４の記憶状態を秒針３ａで示すためのものであり、詳細な説明は後述する。尚、本実施形態では、５０秒と４５秒の位置に“ＳＥＴ”と“±０”をマーキングしたが、各々別の位置にマーキングしても良く、また、それぞれの文字も任意に定めて良い。
【００３８】
尚、フローＳＴ１での通常運針では、リューズ５は零段の位置（すなわち、スイッチＳ３、Ｓ４は共にＯＦＦ）であることを前提とする。
また、ここでの通常運針は、標準電波を受信して標準時に正しく同期して正確な時刻を運針しているケースと、何かの理由で標準電波が受信できない、または、標準電波の受信をしていない状態で運針を行っているケースの、二通りのケースが想定出来る。
【００３９】
次にマイコン２５は、スイッチ信号Ｐ１を入力してスイッチＳ１の状態を知り、スイッチＳ１が押下されたか否かを判断する。肯定判定されると（すなわち操作ボタン６が押下）フローＳＴ３へ進み、否定判定されるとフローＳＴ１０に進む（フローＳＴ２）。ここで、スイッチＳ１は時差設定モードへ移行するためのスイッチとして機能し、フローＳＴ３以降は、時差設定モードとなる。
【００４０】
以下、フローＳＴ３以降、すなわち、時差設定モードの動作フローを説明する。電波修正時計１が時差設定モードに移行すると、秒針３ａは時差データＰ１４が既に記憶回路２６に記憶され設定されている場合は、前述した表示部３の“ＳＥＴ”の位置に移動し、また、時差データＰ１４が設定されていない場合（すなわち時差データＰ１４＝零時間）は、前述した表示部３の“±０”の位置に移動する（フローＳＴ３）。図８（ｂ）はフローＳＴ３での表示部３の表示状態の一例を示し、ここでは、時差が設定されていないので秒針３ａは“±０”の位置、すなわち、４５秒の位置に移動している。よって、フローＳＴ３では、使用者が時差設定の有無を秒針３ａの動きによって確認することが出来る。
【００４１】
次に時差設定モードでの、リューズ５を回転して行う時差入力フローについて説明する。マイコン２５は、スイッチ信号Ｐ５を入力してリューズ５の１２時方向への回転に連動してＯＮするスイッチＳ５の状態を検知し、スイッチＳ５がＯＮされたか否かを判断する。肯定判定（すなわちリューズ５が１２時方向に回転された）されるとフローＳＴ１１へ進み、否定判定されると次のフローＳＴ５に進む（フローＳＴ４）。
【００４２】
フローＳＴ４で肯定判定されると、マイコン２５は時差データＰ１４を１時間加算して記憶回路２６に新しい時差データＰ１４を記憶させると共に、内部の計時手段２５ｃの計時情報である計時データＰ１３も１時間加算する（フローＳＴ１１）。ここで、計時手段２５ｃが１時間加算される結果、計時データＰ１３は、ＡＭ１０時１０分からＡＭ１１時１０分となり、表示部３の時針３ｃは１時間分進んだ位置に移動する。尚、フローＳＴ１１終了後はフローＳＴ４に戻り、スイッチＳ５の判定が繰り返し実行される。
【００４３】
この結果、使用者がリューズ５を１２時方向に続けて回転するならば、フローＳＴ１１が続けて実行され、時差データＰ１４は連続的に加算されて記憶回路２６に記憶されると共に、時針３ｃも１時間単位で進み動作を繰り返す。図８（ｃ）は、リューズ５を回転矢印Ａの方向（すなわち１２時方向）に回転させることにより、２時間分の時差が加算され時針３ｃが矢印Ｅで示すように２時間分進んで、時刻表示がＰＭ１２時１０分となった状態を示している。
【００４４】
次にフローＳＴ４で否定判定されると、マイコン２５は、スイッチ信号Ｐ６を入力してリューズ５の６時方向への回転に連動してＯＮするスイッチＳ６の状態を検知し、スイッチＳ６がＯＮされたか否かを判断する。肯定判定（すなわちリューズ５が６時方向に回転された）されるとフローＳＴ１２へ進み、否定判定されるとフローＳＴ６に進む（フローＳＴ５）。
【００４５】
フローＳＴ５で肯定判定されると、マイコン２５は時差データＰ１４を１時間減算して記憶回路２６に新しい時差データＰ１４を記憶させると共に、内部の計時手段２５ｃの計時情報である計時データＰ１３も１時間減算する（フローＳＴ１２）。ここで、計時手段２５ｃが１時間減算される結果、計時データＰ１３は、ＡＭ１０時１０分からＡＭ９時１０分となり、表示部３の時針３ｃは１時間分遅れた位置に移動する。尚、フローＳＴ１１終了後はフローＳＴ４に戻り、スイッチＳ５、Ｓ６の判定が繰り返し実行される。
【００４６】
この結果、使用者がリューズ５を６時方向に続けて回転するならば、フローＳＴ１２が続けて実行され、時差データＰ１４は連続的に減算されて記憶回路２６に記憶されると共に、時針３ｃも１時間単位で遅れ動作を繰り返す。図８（ｄ）は、リューズ５を回転矢印Ｂの方向（すなわち６時方向）に回転させることにより、２時間分の時差が減算され、時針３ｃが矢印Ｆで示すように２時間分遅れて、時刻表示がＡＭ８時１０分となった状態を示している。
【００４７】
次にフローＳＴ５で否定判定されると、マイコン２５はスイッチ信号Ｐ１を入力してスイッチＳ１の状態を検知し、スイッチＳ１が押下されたか否かを判断する。肯定判定（すなわち操作ボタン６が押下）されるとフローＳＴ１の通常運針へリターンし、否定判定されると次のフローＳＴ７に進む（フローＳＴ６）。すなわち、フローＳＴ３以降の時差設定モードに於いて、再度、スイッチＳ１が押下されると通常運針に戻る動作となる。
【００４８】
次にフローＳＴ６で否定判定されると、マイコン２５は内部のタイマー（図示せず）の値を調べ、予め定められた時間経過（例えば１０秒）が過ぎているか否かを判断する。肯定判定（すなわちタイマー零秒）されるとフローＳＴ１の通常運針へリターンし、否定判定されると次のフローＳＴ８に進む（フローＳＴ７）。ここで、マイコン２５の内部のタイマーは、すべてのスイッチＳ１〜Ｓ６がＯＦＦ状態の時にカウントダウンするので、フローＳＴ７は使用者が時差設定モードに於いて、無操作状態を一定期間続けることにより、自動的に通常運針に戻るオートリターン機能として動作する。
【００４９】
次にフローＳＴ７で否定判定されると、マイコン２５はスイッチ信号Ｐ２を入力してスイッチＳ２の状態を知り、スイッチＳ２が一定期間長く押下されたか否かを判断する。肯定判定（すなわち操作ボタン７が長く押下）されるとフローＳＴ１３に進み、否定判定されるとフローＳＴ４に戻る（フローＳＴ８）。
【００５０】
次にフローＳＴ８で肯定判定されると、マイコン２５は時差解除手段２５ｄを起動して時差解除信号Ｐ１７を出力し、記憶回路２６に記憶されている時差データＰ１４を消去して零時間とし、その後、フローＳＴ４にリターンする（フローＳＴ１３）。これにより、次に標準電波を受信した場合、マイコン２５の時刻修正手段２５ｂは、受信した時刻情報としての時刻データＰ１５と時差データＰ１４を加算して時刻設定データＰ１６を出力するが、時差データＰ１４は消去されているので、結果として時刻設定データＰ１６は時刻データＰ１５と等しくなり、表示部３に表示される時刻は時刻データＰ１５、すなわち、受信した標準時となる。
【００５１】
また、フローＳＴ８で否定判定されて、フローＳＴ１３が実行されずにスイッチＳ１の押下やタイマー動作で通常運針にリターンした場合は、記憶回路２６の時差データＰ１４は消去されず有効である。そしてその後、標準電波を受信した場合は、マイコン２５の計時手段２５ｃに入力される時刻設定データＰ１６は、前述した如く、時刻修正手段２５ｂにより、時刻データＰ１５と記憶回路２６の時差データＰ１４が加算あるいは減算された値となる。この結果、表示部３に表示される時刻は、受信された標準時（すなわち時刻データＰ１５）に時差データＰ１４を加味した時刻となる。
【００５２】
次に、フローＳＴ２で否定判定された場合について説明する。マイコン２５はスイッチ信号Ｐ３を入力してスイッチＳ３の状態を検知し、スイッチＳ３がＯＮされたか否か（すなわち、リューズ５が１段引きされたか否か）を判断する。肯定判定されるとカレンダ・秒分修正モードへ移行し、否定判定されるとフローＳＴ１にリターンして通常運針を継続する（フローＳＴ１０）。
【００５３】
次に、図４に基づいて手動によるカレンダ・秒分修正方法を説明する。前記フローＳＴ１０に於いて肯定判定がなされると、図４で示すフローＳＴ２０以降のカレンダ・秒分修正モードに移行する。ここで、マイコン２５はスイッチ信号Ｐ４を入力してスイッチＳ４の状態を検知し、スイッチＳ４がＯＮされたか否か（すなわち、リューズ５が２段引きされたか否か）を判断する。肯定判定されると秒分修正モードのフローＳＴ３０に進み、否定判定されるとカレンダ修正モードのフローＳＴ２１に進む（フローＳＴ２０）。
【００５４】
次に、フローＳＴ２０で否定判定された場合のカレンダ修正モードを説明する。マイコン２５はスイッチ信号Ｐ５を入力してスイッチＳ５の状態を知り、スイッチＳ５がＯＮされたか否かを判断する。肯定判定（すなわちリューズ５が１２時方向に回転された）されるとフローＳＴ２２に進み、否定判定されるとフローＳＴ２３に進む（フローＳＴ２１）。
【００５５】
フローＳＴ２１で肯定判定がなされると、マイコン２５は計時手段２５ｃの月データを＋１加算し、計時手段２５ｃの出力である計時データＰ１３を更新して、図示しないが秒針３ａを予め定められた月表示位置に移動する。（フローＳＴ２２）。また、詳細は省略するが、月修正だけでなく閏年からの経過年の修正も月修正と共に行うようにしても良い。尚、フローＳＴ２２終了後、後述するフローＳＴ２５に進む。
【００５６】
次に、フローＳＴ２１で否定判定がなされると、マイコン２５はスイッチ信号Ｐ６を入力してスイッチＳ６の状態を知り、スイッチＳ６がＯＮされたか否かを判断する。肯定判定（すなわちリューズ５が６時方向に回転された）されるとフローＳＴ２４に進み、否定判定されるとフローＳＴ２５に進む（フローＳＴ２３）。
【００５７】
フローＳＴ２３で肯定判定がなされると、マイコン２５は計時手段２５ｃの月データを−１減算し、計時手段２５ｃの出力である計時データＰ１３を更新して、図示しないが秒針３ａを予め定められた月表示位置に移動する。（フローＳＴ２４）。また、詳細は省略するが、月修正だけでなく閏年からの経過年の修正も月修正と共に行うようにしても良い。尚、フローＳＴ２４終了後、フローＳＴ２５に進む。
【００５８】
次に、フローＳＴ２２及びフローＳＴ２４の終了後、又は、フローＳＴ２３で否定判定がなされた場合、マイコン２５はスイッチ信号Ｐ３を入力してスイッチＳ３の状態を知り、スイッチＳ３がＯＮしているか否か（すなわち、リューズ５が１段引きされているか否か）を判断する。肯定判定されるとフローＳＴ２０にリターンし、否定判定されるとカレンダ・秒分修正モードを終了して通常運針にリターンする（フローＳＴ２５）。
【００５９】
次に、フローＳＴ２０で肯定判定された場合の秒分修正モードを説明する。マイコン２５は、計時データＰ１３の秒データを零秒にリセットして秒針３ａを零秒位置に移動させる（フローＳＴ３０）。
【００６０】
次にマイコン２５は、スイッチ信号Ｐ５を入力してスイッチＳ５の状態を検知し、スイッチＳ５がＯＮされたか否かを判断する。肯定判定（すなわちリューズ５が１２時方向に回転された）されるとフローＳＴ３２に進み、否定判定されるとフローＳＴ３３に進む（フローＳＴ３１）。
【００６１】
フローＳＴ３１で肯定判定がなされると、マイコン２５は計時手段２５ｃの分データを＋１加算し、計時手段２５ｃの出力である計時データＰ１３によって、図示しないが分針３ｂを１分進める（フローＳＴ３２）。尚、フローＳＴ３２終了後、フローＳＴ９９に進む。
【００６２】
次に、フローＳＴ３１で否定判定がなされると、マイコン２５はスイッチ信号Ｐ６を入力してスイッチＳ６の状態を知り、スイッチＳ６がＯＮされたか否かを判断する。肯定判定（すなわちリューズ５が６時方向に回転された）されるとフローＳＴ３４に進み、否定判定されるとフローＳＴ９９に進む（フローＳＴ３３）。
【００６３】
フローＳＴ３３で肯定判定がなされると、マイコン２５は計時手段２５ｃの分データを−１減算し、計時手段２５ｃの出力である計時データＰ１３によって、図示しないが分針３ｂを１分遅らせる（フローＳＴ３４）。尚、フローＳＴ３４終了後、フローＳＴ９９に進む。
【００６４】
次に、マイコン２５はスイッチ信号Ｐ４を入力してスイッチＳ４の状態を検知し、スイッチＳ４がＯＮされたか否か（すなわち、リューズ５が２段引きされているか否か）を判断する。肯定判定されるとフローＳＴ３１に進み、否定判定されるとフローＳＴ２５に進む（フローＳＴ９９）。これにより、分針３ｂの修正が完了した時点で、電話等による標準時の零秒に合わせてリューズ５を零段に戻せば、フローＳＴ９９とフローＳＴ２５で共に否定判定されて通常運針にリターンするので、秒針３ａも正確に時刻合わせを行うことが出来る。
【００６５】
以上のように、本発明の第１の実施形態によるならば、操作ボタン６を押下することにより、電波修正時計１は時差設定モードに移行し、リューズ５の零段位置でリューズ５を１２時方向、又は６時方向に回転させることにより、受信した時刻情報に対する時差データＰ１４を１時間単位で入力することが出来る。この時差設定モードでの入力操作系統が、特許請求の範囲に於ける第１の入力操作系統に相当する。
【００６６】
また、リューズ５を１段引き状態にすることにより、電波修正時計１はカレンダ修正モードに移行し、リューズ５を１２時方向、又は６時方向に回転させることにより、手動操作でカレンダ修正（すなわち、月及び閏年の経過年修正）を行うことが出来る。また、リューズ５を２段引き状態にすることにより、電波修正時計１は秒分修正モードに移行し、リューズ５を１２時方向、又は６時方向に回転させることにより、計時データＰ１３を１分単位で修正することが出来る。この秒分修正モードでの入力操作系統が、特許請求に範囲於ける第３の入力操作系統に相当する。
【００６７】
次に、時差設定モードで入力され記憶された時差データＰ１４が、実際の電波修正時計１の使用状態に於いてどのように用いられるかを説明する。使用状態の第１の例として、電波修正時計１の使用者がヨーロッパのドイツに滞在してドイツの標準電波送信局であるＤＣＦ７７を受信しているとする。このとき、電波修正時計１はＤＣＦ７７の標準電波によってドイツの標準時を正確に表示している。ここで、電波修正時計１の使用者がドイツからイギリスに移動したとする。イギリスでは、ＤＣＦ７７の標準電波を受信することが出来るが、イギリスの標準時はドイツの標準時より１時間遅れているので、時刻修正が必要となる。
【００６８】
そこで、電波修正時計１の使用者は、イギリスに到着した時点で、図３のフローチャートで示したように、通常運針状態から操作ボタン６を操作してスイッチＳ１を押下し、フローＳＴ３より始まる時差設定モードに移行させる。そしてリューズ５を６時方向に回転させてスイッチＳ６をＯＮさせ、フローＳＴ１２を実行させることにより時差データＰ１４を１時間減算させる。この結果、記憶回路２６には、時差データＰ１４として−１時間の値が記憶され、また、マイコン２５の計時手段２５ｃが記憶する計時情報も１時間分減算されるので、時針３ｃは１時間遅れた時刻、すなわち、イギリスの標準時に等しい時刻を表示する。
【００６９】
次に、イギリスに於いて電波修正時計１は、ドイツの送信局ＤＣＦ７７を受信する。ここで、ＤＣＦ７７の標準時はイギリスの標準時より１時間進んでいるので、電波修正時計１はイギリスの標準時より１時間進んだ時刻情報を受信することになる。しかし、マイコン２５の時差設定手段２５ｂは、前述した如く、受信した時刻データＰ１５と記憶回路２６に記憶されている時差データＰ１４を加算して時刻設定データＰ１６を出力するので、該時刻設定データＰ１６は、時刻データＰ１５から時差データＰ１４の−１時間が減算された値となり、結果として、表示部３は受信したＤＣＦ７７の標準時より１時間分遅れた時刻、すなわち、イギリスの標準時に等しい時刻を正確に表示することが出来る。
【００７０】
また、使用者がイギリスからドイツに戻った場合も、上記方法と同様な操作で時差設定を行うことが出来る。すなわち、使用者がイギリスからドイツに戻った時点で、図３のフローチャートで示したように、通常運針状態から操作ボタン６を操作してスイッチＳ１を押下し、フローＳＴ３より始まる時差設定モードに移行させる。そしてリューズ５を１２時方向に回転させてスイッチＳ５をＯＮさせ、フローＳＴ１１を実行させることにより時差データＰ１４を１時間加算させる。
【００７１】
この結果、記憶回路２６には、元の時差データＰ１４に＋１時間加算された値が記憶され、また、マイコン２５の計時手段２５ｃも１時間加算されるので、時針３ｃは１時間進んだ時刻、すなわち、ドイツの標準時に等しい時刻を表示する。尚、記憶回路２６には、イギリス滞在中に−１時間の時差データＰ１４が記憶されていたので、この値に＋１時間が加算され、結果として記憶回路２６の時差データＰ１４は零時間となる。
【００７２】
次に、ドイツに戻った電波修正時計１は、ＤＣＦ７７を受信する。ここで、マイコン２５の時刻修正手段２５ｂは、前述した如く受信したＤＣＦ７７の時刻情報である時刻データＰ１５と、記憶回路２６に記憶されている時差データＰ１４を加算して時刻設定データＰ１６を出力するが、時差データＰ１４は前述の如く零時間であるので、結果として、表示部３は、受信したＤＣＦ７７の標準時、すなわち、滞在しているドイツの標準時を正確に表示することが出来る。
【００７３】
次に、第１の実施形態で示した電波修正時計１の使用形態の第２の例を説明する。使用形態の第２の例としては、電波修正時計１が何らかの理由により、標準電波を受信できないか、又は、受信していないときで、時刻表示が狂っている為に手動操作で時刻やカレンダを合わせる必要が生じた場合である。例えば、電波修正時計１の使用者が標準電波の届かない建物内に長時間滞在している場合、又は、電池交換直後等で、まだ、標準電波を受信していない場合などが考えられる。このよう場合は、取りあえず手動操作で時刻やカレンダを合わせて使用し、後で標準電波を受信して正確な時刻合わせを行うことで当該電波修正時計を使用することが出来る。
【００７４】
ここで手動による時刻修正操作としてまず使用者は、電波修正時計１の秒と分を合わせるために、通常運針状態からリューズ５を２段引きして秒分修正モードに移行させ（すなわち、図４のフローＳＴ３０以降の動作フロー）、リューズ５を１２時方向、又は、６時方向に回転させて分を合わせる。次に、必要に応じてリューズ５を１段引きにしてカレンダ修正モードに移行させ、月及び閏年の経過年の修正を行う。
【００７５】
次にリューズ５を元の零段の位置に戻し、時差設定モードに移行させるために操作ボタン６を操作してスイッチＳ１を押下する。これにより、図３で示したフローＳＴ３に制御が移行して時差設定モードとなる。この状態で、リューズ５を１２時方向、又は、６時方向に回転させれば、時差データＰ１４が記憶回路２６に記憶されると共に、計時手段２５ｃの時間データが修正されるので時針３ｃが１時間ステップで進み、又は遅れて、時間を合わせることが出来る。
【００７６】
次に、操作ボタン７を操作してスイッチＳ２を長く（例えば２秒以上）押下する。これにより、電波修正時計１は図３で示したフローＳＴ１３を実行し、記憶回路２６の記憶内容を消去して時差データＰ１４の値を零時間とし、入力した時差データＰ１４を無効にすることが出来る。但し、フローＳＴ１３の時差データ消去の操作では、表示部３に表示される時刻は前回受信した時刻には戻らず、フローＳＴ１１あるいはフローＳＴ１２にて設定した時刻の表示を維持する。
【００７７】
以上の操作により、次回、電波修正時計１が標準電波を受信して時刻を自動修正する場合、記憶回路２６に記憶された時差データＰ１４は無効とされているので、受信して取得した時刻データＰ１５は時差データＰ１４によって修正されることがなく、受信した標準時を正確に表示することが出来る。また逆に、次回の受信に成功しなかった場合（又は受信動作を実施しなかった場合）は、前記フローＳＴ１１あるいはフローＳＴ１２でのマニュアル操作による現在時刻設定によって、当該電波修正時計を利用することが出来る。
【００７８】
以上の操作により使用者は、電波修正時計１の時刻表示が狂っている場合でも、手動操作によって簡単に時刻やカレンダを修正することが出来る。尚、修正手順は上記の手順に限定されるものではなく、例えば、時差設定モードによって時間を修正してから、カレンダ修正モードに移行し、次に秒分修正モードに移行しても良い。
【００７９】
以上のように本発明の第１の実施形態によれば、通常運針状態に於いて、操作ボタン６を押下しただけで時差設定モードに移行し、リューズ５の操作により１時間単位で時差設定をすることが出来るので、電波修正時計の使用者が、時差の異なる国や地域に移動したとしても、時差設定を簡単に素早く行うことが出来、操作性に優れた電波修正時計を実現することが出来る。また、時差設定を行う場合も、手動による時修正を行う場合も、同一の操作ボタン（例えば操作ボタン６）を操作することにより、時差設定モード又は時修正モードに移行することが出来るので、修正操作の流れに一貫性があり、操作が簡単で分かりやすい電波修正時計を提供できる。
【００８０】
更には、手動による時修正の場合、一つの操作（例えば操作ボタン７長押下）で記憶された時差データＰ１４を消去して無効に出来るので、後で標準電波を受信したとしても、受信した標準電波の標準時に正しく自動修正することが出来、時差設定と手動による時修正を確実に分離し、どのような使用形態に於いても、常に正しく時刻を表示する信頼性の高い電波修正時計を提供することが出来る。
【００８１】
次に図５〜図７、及び図９に基づいて、本発明の第２の実施形態である電波修正時計１の時差設定及びカレンダ・時刻修正方法を説明する。図５は時差設定方法を示すフローチャートであり、図６は手動によるカレンダ・秒分修正方法を示すフローチャートであり、図７は手動による時・日付修正方法を示すフローチャートである。また、図９は本発明の第２の実施形態に於ける時差設定モードでの電波修正時計１の表示部３の表示状態を示しており、この図９も含めて第２の実施形態を説明する。
【００８２】
図５に於いて、電波修正時計１は、１秒ごとの通常運針を行っている（フローＳＴ４０）。図９（ａ）は通常運針での表示部３の表示状態を示し、一例としてＡＭ１０時１０分００秒で日付は７日を表示している。尚、フローＳＴ４０での通常運針では、リューズ５は零段の位置（すなわち、スイッチＳ３、Ｓ４は共にＯＦＦ）であることを前提とする。また、ここでの通常運針は、標準電波を受信して標準時に正しく同期して正確な時刻を運針しているケースと、何かの理由で標準電波が受信できない、または、標準電波の受信をしていない状態で運針を行っているケースの、二通りのケースが想定出来る。
【００８３】
次にマイコン２５は、スイッチ信号Ｐ１を入力してスイッチＳ１の状態を知り、スイッチＳ１が押下されたか否かを判断する。肯定判定（すなわち操作ボタン６が押下）されるとフローＳＴ４２へ進み、否定判定されるとフローＳＴ５０に進む（フローＳＴ４１）。ここで、スイッチＳ１は時差設定モードへ移行するためのスイッチとして機能し、フローＳＴ４２以降は、時差設定モードとなる。
【００８４】
以下、フローＳＴ４２以降、すなわち、時差設定モードの動作フローを説明する。ここで、電波修正時計１が時差設定モードに移行すると、時差状態モニタとして秒針３ａが既に設定されている時差に従って移動し、使用者に現在設定されている時差の設定状態を表示する（フローＳＴ４２）。一例を説明すると、設定されている時差が零時間の場合は、秒針３ａは３０秒の位置に移動し、設定されている時差が＋１時間の場合は、秒針３ａは３５秒の位置に移動し、設定されている時差が＋２時間の場合は、秒針３ａは４０秒の位置に移動する。
【００８５】
また、設定されている時差が−１時間の場合は、秒針３ａは２５秒の位置に移動し、設定されている時差が−２時間の場合は、秒針３ａは２０秒の位置に移動する。尚、この時差状態モニタを分かりやすく使用者に伝えるために、図９で示すように、電波修正時計１の表示部３の外側周辺に、−２、−１、０、＋１、＋２とマーキングすると分かりやすい。図９（ｂ）は時差状態モニタの一例を示し、ここでは、時差は設定されておらず零時間であるために、秒針３ａは時差零時間の位置、すなわち、３０秒の位置に移動している。尚、図９（ｂ）で示す時差状態モニタの形態は、これに限定されるものではなく、そのモニタ方法は任意であって良い。
【００８６】
次にマイコン２５は、スイッチ信号Ｐ３とＰ４を入力してスイッチＳ３とスイッチＳ４の状態を検知し、スイッチＳ３又はスイッチＳ４がＯＮされたか否か（すなわち、リューズ５が１段引きされたか２段引きされたか否か）を判断する。肯定判定されるとフローＳＴ４４に進み、否定判定されるとフローＳＴ５１に進む（フローＳＴ４３）。
【００８７】
次に、リューズ５を回転して行う時差設定方法を説明する。マイコン２５は、スイッチ信号Ｐ５を入力してリューズ５の１２時方向への回転に連動してＯＮするスイッチＳ５の状態を知り、スイッチＳ５がＯＮされたか否かを判断する。肯定判定（すなわちリューズ５が１２時方向に回転された）されるとフローＳＴ５３へ進み、否定判定されると次のフローＳＴ４５に進む（フローＳＴ４４）。
【００８８】
フローＳＴ４４で肯定判定されると、マイコン２５は時差データＰ１４を１時間加算して記憶回路２６に更新された時差データＰ１４を記憶させると共に、計時手段２５ｃも１時間加算する（フローＳＴ５３）。ここで、計時手段２５ｃに１時間加算されるので計時データＰ１３は、ＡＭ１０時１０分からＡＭ１１時１０分となり、該計時データＰ１３によって駆動される表示部３の時針３ｃは１時間分進んだ時刻に移動する。また、時差状態モニタである秒針３ａも、時差が１時間加算されたことにより時差＋１の位置（すなわち３５秒の位置）に移動する。尚、フローＳＴ５３終了後はフローＳＴ４４に戻り、スイッチＳ５の判定が繰り返し実行される。
【００８９】
この結果、使用者がリューズ５を１２時方向に続けて回転するならば、フローＳＴ５３が続けて実行され、時差データＰ１４は連続的に加算されて記憶回路２６に記憶されると共に、時差状態モニタである秒針３ａは時差設定状態を示し、時針３ｃも１時間単位で進み動作を繰り返す。図９（ｃ）はリューズ５が１段引きされて、更にリューズ５を回転矢印Ｃの方向（すなわち１２時方向）に回転させることにより、２時間分の時差が加算され時針３ｃが、矢印Ｇで示すように２時間分進み、時刻表示がＰＭ１２時１０分となった状態を示している。また、時差状態モニタである秒針３ａは、時差＋２の位置に移動して時差の設定量を表示する。
【００９０】
次にフローＳＴ４４で否定判定されると、マイコン２５は、スイッチ信号Ｐ６を入力してリューズ５の６時方向への回転に連動してＯＮするスイッチＳ６の状態を知り、スイッチＳ６がＯＮされたか否かを判断する。肯定判定（すなわちリューズ５が６時方向に回転された）されるとフローＳＴ５４に進み、否定判定されると次のフローＳＴ４６に進む（フローＳＴ４５）。
【００９１】
フローＳＴ４５で肯定判定されると、マイコン２５は時差データＰ１４を１時間減算して記憶回路２６に更新された時差データＰ１４を記憶させると共に、内部の計時手段２５ｃも１時間減算する（フローＳＴ５４）。ここで、計時手段２５ｃが１時間減算されるので計時データＰ１３は、ＡＭ１０時１０分からＡＭ９時１０分となり、該計時信号Ｐ１３によって駆動される表示部３の時針３ｃは１時間分遅れた時刻に移動する。また、時差状態モニタである秒針３ａも、時差が１時間減算されたことにより時差−１の位置（すなわち２５秒の位置）に移動する。尚、フローＳＴ５４終了後はフローＳＴ４４に戻り、スイッチＳ５、Ｓ６の判定が繰り返し実行される。
【００９２】
この結果、使用者がリューズ５を６時方向に続けて回転するならば、フローＳＴ５４が続けて実行され、時差データＰ１４は連続的に減算されて記憶回路２６に記憶されると共に、時差状態モニタである秒針３ａは時差設定状態を示し、時針３ｃも１時間単位で遅れ動作を繰り返す。図９（ｄ）はリューズ５が一段引きされて、更にリューズ５を回転矢印Ｄの方向（すなわち６時方向）に回転させることにより、２時間分の時差が減算され時針３ｃが、矢印Ｈで示すように２時間分遅れ、時刻表示がＰＭ８時１０分となった状態を示している。また、時差状態モニタである秒針３ａは、時差−２の位置に移動して時差の設定量を表示する。
【００９３】
次にフローＳＴ４５で否定判定されると、マイコン２５は、スイッチ信号Ｐ３とＰ４を入力してスイッチＳ３とスイッチＳ４の状態を知り、スイッチＳ３とスイッチ４がＯＦＦされたか否か（すなわち、リューズ５が零段に戻ったか否か）を判断する。肯定判定されると通常運針のフローＳＴ４０にリターンし、否定判定されるとフローＳＴ４４にリターンし、スイッチＳ５、Ｓ６の判定が繰り返し実行される（フローＳＴ４６）。
【００９４】
次にフローＳＴ５１以降を説明する。フローＳＴ４３で否定判定されると、マイコン２５は、スイッチ信号Ｐ１を入力してスイッチＳ１の状態を知り、スイッチＳ１が押下されたか否かを判断する。肯定判定（すなわち操作ボタン６が押下）されるとフローＳＴ４０の通常運針へリターンし、否定判定されると次のフローＳＴ５２に進む（フローＳＴ５１）。すなわち、フローＳＴ４２の時差状態モニタに於いて、再度、操作ボタン６によってスイッチＳ１が押下されると、通常運針に戻る動作となる。
【００９５】
次にフローＳＴ５１で否定判定されると、マイコン２５は、内部のタイマー（図示せず）の値を調べ、予め定められた時間経過が過ぎているか否かを判断する。肯定判定されるとフローＳＴ４０の通常運針へリターンし、否定判定されるとフローＳＴ４２の時差状態モニタにリターンする（フローＳＴ５２）。ここで、マイコン２５の内部のタイマーは、すべてのスイッチＳ１〜Ｓ６がＯＦＦ状態の時にカウントダウンするので、フローＳＴ５２は使用者が時差状態モニタに於いて、無操作状態を一定期間続けることにより、自動的に通常運針に戻るオートリターン機能として動作する。
【００９６】
ここで、時差設定モードを終了して通常運針にリターンした後に標準電波を受信すると、マイコン２５の計時手段２５ｃに入力される時刻設定データＰ１６は、第１の実施形態と同様に、標準電波を受信して得られた時刻データＰ１５と記憶回路２６の時差データＰ１４が時刻修正手段２５ｂによって加算された値となる。この結果、表示部３に表示される時刻は、受信した標準時に時差データＰ１４が加算された時刻となり、設定された時差データＰ１４によって表示時刻が修正される。
【００９７】
次に前述のフローＳＴ４１に於いて否定判定されると、マイコン２５は、スイッチ信号Ｐ３を入力してスイッチＳ３の状態を知り、スイッチＳ３がＯＮされたか否か（すなわち、リューズ５が１段引きされたか否か）を判断する。肯定判定されるとカレンダ・時刻修正モードへ移行し、否定判定されるとフローＳＴ４０の通常運針にリターンする（フローＳＴ５０）。
【００９８】
次に、図６に基づいてカレンダ・時刻修正方法を説明する。前記フローＳＴ５０に於いて肯定判定がなされると、図６で示すフローＳＴ６０以降のカレンダ・時刻修正モードに移行する。ここで、マイコン２５はスイッチ信号Ｐ２を入力してスイッチＳ２の状態を知り、スイッチＳ２がＯＮされたか否か（すなわち、操作ボタン７が操作されたか否か）を判断する。肯定判定されると手動時・日付修正モードに進み、否定判定されると次のフローＳＴ６１に進む（フローＳＴ６０）。
【００９９】
次にフローＳＴ６０で否定判定されると、マイコン２５はスイッチ信号Ｐ４を入力してスイッチＳ４の状態を知り、スイッチＳ４がＯＮされたか否か（すなわち、リューズ５が２段引きされたか否か）を判断する。肯定判定されると秒分修正モードのフローＳＴ７０に進み、否定判定されるとカレンダ修正モードのフローＳＴ６２に進む（フローＳＴ６１）。
【０１００】
次に、フローＳＴ６１で否定判定された場合のカレンダ修正モードを説明する。マイコン２５は、スイッチ信号Ｐ５を入力してスイッチＳ５の状態を知り、スイッチＳ５がＯＮされたか否かを判断する。肯定判定（すなわちリューズ５が１２時方向に回転された）されるとフローＳＴ６３に進み、否定判定されるとフローＳＴ６４に進む（フローＳＴ６２）。
【０１０１】
フローＳＴ６２で肯定判定がなされると、マイコン２５は計時手段２５ｃの月データを＋１加算し、計時手段２５ｃの出力である計時データＰ１３によって、図示しないが秒針３ａを予め定められた月表示位置に移動する（フローＳＴ６３）。また、詳細は省略するが、月修正だけでなく閏年からの経過年の修正も月修正と共に行うようにしても良い。尚、フローＳＴ６３終了後、後述するフローＳＴ６６に進む。
【０１０２】
次に、フローＳＴ６２で否定判定がなされると、マイコン２５はスイッチ信号Ｐ６を入力してスイッチＳ６の状態を知り、スイッチＳ６がＯＮされたか否かを判断する。肯定判定（すなわちリューズ５が６時方向に回転された）されるとフローＳＴ６５に進み、否定判定されると後述するフローＳＴ６６に進む（フローＳＴ６４）。
【０１０３】
フローＳＴ６４で肯定判定がなされると、マイコン２５は計時手段２５ｃの月データを−１減算し、計時手段２５ｃの出力である計時データＰ１３によって、図示しないが秒針３ａを予め定められた月表示位置に移動する（フローＳＴ６５）。また、詳細は省略するが、月修正だけでなく閏年からの経過年の修正も月修正と共に行うようにしても良い。尚、フローＳＴ６５終了後、フローＳＴ６６に進む。
【０１０４】
次に、フローＳＴ６３及びフローＳＴ６５の終了後、又は、フローＳＴ６４で否定判定がなされた場合、マイコン２５はスイッチ信号Ｐ３を入力してスイッチＳ３の状態を知り、スイッチＳ３がＯＮしているか否か（すなわち、リューズ５が１段引きされているか否か）を判断する。肯定判定されるとフローＳＴ６０にリターンし、否定判定されるとカレンダ・時刻修正モードを終了して通常運針にリターンする（フローＳＴ６６）。
【０１０５】
次に、フローＳＴ６１で肯定判定された場合に移行する秒分修正モードについて説明する。マイコン２５は、計時データＰ１３の秒データを零秒にリセットして秒針３ａを零秒位置に移動させる（フローＳＴ７０）。
【０１０６】
次にマイコン２５は、スイッチ信号Ｐ５を入力してスイッチＳ５の状態を知り、スイッチＳ５がＯＮされたか否かを判断する。肯定判定（すなわちリューズ５が１２時方向に回転された）されるとフローＳＴ７２に進み、否定判定されるとフローＳＴ７３に進む（フローＳＴ７１）。
【０１０７】
次にフローＳＴ７１で肯定判定がなされると、マイコン２５は計時手段２５ｃの分データを＋１加算し、計時手段２５ｃの出力である計時データＰ１３によって、図示しないが分針３ｂを１分進める（フローＳＴ７２）。尚、フローＳＴ７２終了後、フローＳＴ９８に進む。
【０１０８】
次にフローＳＴ７１で否定判定がなされると、マイコン２５はスイッチ信号Ｐ６を入力してスイッチＳ６の状態を知り、スイッチＳ６がＯＮされたか否かを判断する。肯定判定（すなわちリューズ５が６時方向に回転された）されるとフローＳＴ７４に進み、否定判定されるとフローＳＴ９８に進む（フローＳＴ７３）。
【０１０９】
次にフローＳＴ７３で肯定判定がなされると、マイコン２５は計時手段２５ｃの分データを−１減算し、計時手段２５ｃの出力である計時データＰ１３によって、図示しないが分針３ｂを１分遅らせる（フローＳＴ７４）。尚、フローＳＴ７４終了後、フローＳＴ９８に進む。
【０１１０】
次に、マイコン２５はスイッチ信号Ｐ４を入力してスイッチＳ４の状態を検知し、スイッチＳ４がＯＮされたか否か（すなわち、リューズ５が２段引きされているか否か）を判断する。肯定判定されるとフローＳＴ７１に進み、否定判定されるとフローＳＴ６６に進む（フローＳＴ９８）。これにより、分針３ｂの修正が完了した時点で、電話等による標準時の零秒に合わせてリューズ５を零段に戻せば、フローＳＴ９８とフローＳＴ６６で共に否定判定されて通常運針にリターンするので、秒針３ａも正確に時刻合わせを行うことが出来る。
【０１１１】
次に図７に基づいて手動時・日付修正方法を説明する。前記フローＳＴ６０で肯定判定がなされると、マイコン２５はスイッチ信号Ｐ５を入力してスイッチＳ５の状態を知り、スイッチＳ５がＯＮされたか否かを判断する。肯定判定（すなわちリューズ５が１２時方向に回転された）されるとフローＳＴ８１へ進み、否定判定されるとフローＳＴ８２に進む（フローＳＴ８０）。
【０１１２】
次にフローＳＴ８０で肯定判定がなされると、マイコン２５は計時手段２５ｃの時データを＋１加算し、計時手段２５ｃの出力である計時データＰ１３によって、図示しないが時針３ｃを１時間進める。また、表示部３に内蔵される輪列機構（図示せず）によって時針３ｃが午前零時付近になると、日付表示部３ｄが１日進む（フローＳＴ８１）。尚、フローＳＴ８１終了後、後述するフローＳＴ８４に進む。
【０１１３】
次にフローＳＴ８０で否定判定がなされると、マイコン２５はスイッチ信号Ｐ６を入力してスイッチＳ６の状態を知り、スイッチＳ６がＯＮされたか否かを判断する。肯定判定（すなわちリューズ５が６時方向に回転された）されるとフローＳＴ８３へ進み、否定判定されるとフローＳＴ８４に進む（フローＳＴ８２）。
【０１１４】
次にフローＳＴ８２で肯定判定がなされると、マイコン２５は計時手段２５ｃの時データを−１減算し、計時手段２５ｃの出力である計時データＰ１３によって、図示しないが時針３ｃを１時間遅らせる（フローＳＴ８３）。尚、フローＳＴ８３終了後、フローＳＴ８４に進む。
【０１１５】
次にフローＳＴ８４以降を説明する。フローＳＴ８１及びフローＳＴ８３終了後、又はフローＳＴ８２で否定判定されると、マイコン２５はスイッチ信号Ｐ２を入力してスイッチＳ２の状態を知り、スイッチＳ２が押下されたか否かを判断する。肯定判定（すなわち操作ボタン７が押下）されるとカレンダ・時刻修正モードであるフローＳＴ６０にリターンし、否定判定されると次のフローＳＴ８５に進む（フローＳＴ８４）。
【０１１６】
次にフローＳＴ８４で否定判定されると、マイコン２５は内部のタイマー（図示せず）の値を調べ、予め定められた時間経過が過ぎているか否かを判断する。肯定判定されるとカレンダ・時刻修正モードであるフローＳＴ６０にリターンし、否定判定されると手動時・日付修正モードの先頭フローであるフローＳＴ８０にリターンする（フローＳＴ８５）。
【０１１７】
尚、手動時・日付修正モードに於いて時間を修正した場合は、マイコン２５の計時手段２５ｃに対して時データの加算又は減算が実施されるだけであり、時差データＰ１４を記憶する記憶回路２６に対しては、加算も減算も行われず、時差データＰ１４は初期値（すなわち零時間）を保持する。このため、手動時・日付修正モードを終了後、標準電波の受信を行った場合、時差設定手段２５ｂによって時刻データＰ１５と記憶回路２６の時差データＰ１４とが加算されて時刻設定データＰ１６が出力されるが、前述した如く時差データＰ１４は零時間を保持しているので、受信して取得された時刻データＰ１５は、時差データＰ１４によって修正されることなく計時手段２５ｃに時刻設定データＰ１６として入力され、結果として表示部３には、受信した標準電波の標準時が表示される。
【０１１８】
尚、第２の実施形態に於いて、通常運針状態から操作ボタン６押下後に移行する時差設定モードでの入力操作系統が特許請求の範囲に於ける第１の入力操作系統に相当する。また、リューズ５の１段引き状態から操作ボタン７押下後に移行する手動時・日付修正モードでの入力操作系統が、特許請求の範囲に於ける第２の入力操作系統に相当する。また、リューズ５の２段引きで移行する秒分修正モードでの入力操作系統が特許請求の範囲に於ける第３の入力操作系統に相当する。
【０１１９】
以上のように本発明の第２実施形態によれば、国や地域を移動したことによって必要が生じる時差設定への移行には、操作ボタン６の押下で行い、手動による時刻修正のためにはリューズ５を引き出す操作で行う等、時差設定と時刻修正の操作系統を異ならせて、目的によって分離された操作形態としたので、使用者にとって分かりやすく使い勝手の良い電波修正時計を提供することが出来る。
【０１２０】
また、時差設定モードへの移行は本発明の第１の実施形態と同様に、通常運針状態に於いて、操作ボタン６を押下するだけで時差設定モードに移行し、リューズ５の操作により１時間単位で時差設定をすることが出来るので、電波修正時計の使用者が、時差の異なる国や地域に移動したとしても、時差設定を簡単に素早く行うことが出来、操作性に優れた電波修正時計を実現することが出来る。
【０１２１】
また、手動によるカレンダ・時刻修正に於いて、月や閏年の経過年の修正はリューズ５を１段引きで行い、また、時間修正はリューズ５の１段引きから操作ボタン７の押下後に行い、更には、秒分修正はリューズ５の２段引きで行うと言うように、月、時と日付、秒分の各修正を、それぞれ異なる操作系統で実施することが出来るので、修正時間の短縮が可能であり、手動による時刻修正に於いても操作性に優れた電波修正時計を提供することが出来る。
【０１２２】
次に、本発明の別の実施形態である電波修正時計を図１０に基づいて説明する。
図１０に於いて、３０は本発明の別の実施形態である電波修正時計であり、図１で示した電波修正時計１と同一要素には同一番号を付し重複する説明は省略する。
ここで、受信アンテナ４は外装２の内部の略９時方向に配置されており、操作ボタン６は外装２の略２時方向、操作ボタン７は外装２の略４時方向に配置されている。このように、受信アンテナ４と、操作ボタン６、７が外装２の周辺で対向する位置、すなわち具体的には、操作ボタン６と操作ボタン７とを結ぶ線（実線Ｉ）と平行で、ムーブメントの中心を通る線の反対側の領域に受信アンテナ４を配置することで、電波修正時計のサイズを小さくすることが出来る。
【０１２３】
尚、本発明のそれぞれの実施形態は、秒分に一つのモータ、時及び日表示に一つのモータとした２モータシステムの電波修正時計として説明したが、このモータ構成に限定されるものではない。例えば、２モータシステムであっても、秒分時を一つのモータとし、日表示を他のもう一つのモータとして構成しても良い。また、秒を一つのモータとし、分時及び日表示を他のもう一つのモータとして構成しても良い。また、２モータシステムに限らず３モータシステムで構成しても良い。
【０１２４】
例えば、秒を第１のモータとし、分時を第２のモータとし、日表示を第３のモータとして構成しても良い。また、秒分を第１のモータとし、時を第２のモータとし、日表示を第３のモータとして構成しても良い。また、秒を第１のモータとし、分を第２のモータとし、時と日表示を第３のモータとして構成しても良い。更には、４モータシステムで構成しても良い。この場合は、各秒、分、時、日表示をそれぞれ一つずつのモータによって駆動するように構成できる。
【０１２５】
また、図２で示した本発明の回路構成は、制御系をマイコン２５によって構成したがこの構成に限定されるものではない。例えば、マイコンを用いることなく、それぞれの制御機能をハードウエアによって構成し実現しても良い。また、記憶回路２６はマイコン２５の外部に配置したが、この構成にも限定されず、マイコン２５に内蔵させても良い。また、入力手段として回転式のリューズ５を用いたが、この入力方式にも限定されず、例えば、外装２の周辺部に多数の操作ボタンを配置し、それぞれの操作ボタンに固有の機能を設けても良い。
【０１２６】
また、本発明の実施形態として示した各フローチャートは、これに限定されるものではなく、各機能を満たすものであれば、動作フローは任意に定めることが出来る。また、記憶回路２６に記憶される時差データＰ１４は１時間単位としたが、この値に限定されるものではなく、例えば、５分単位、１０分単位であっても良い。そして、時差修正という概念ではなく、使用者が時間に余裕を持たせるために、例えば、記憶回路２６に１０分の値を記憶するようにすれば、電波修正時計１は受信した標準時に対して、常に１０分間進んだ時刻を表示することが出来る。
【０１２７】
尚、本発明の実施形態ではアナログ表示方式の電波修正時計を提示したが、これに限定されることはなく、デジタル表示方式、または、アナログとデジタルの複合表示方式の電波修正時計であっても良い。また、本発明の制御方法は時計に限定されるものではなく、電波修正時計機能を有する電子機器に幅広く応用することが可能である。
【０１２８】
【発明の効果】
以上の説明によって明らかなように本発明によれば、簡単な操作で１時間単位によって時差情報を入力して記憶し、受信した標準電波の標準時に前記記憶した時差情報を反映して表示出来るので、電波修正時計の使用者が、時差の異なる国や地域に移動したとしても、その国や地域の標準時に対応した時刻を正確に素早く表示できるので、操作性に優れ、信頼性の高い電波修正時計を提供することが出来る。
【図面の簡単な説明】
【図１】本発明の実施形態である電波修正時計と標準電波を送信する送信局との関係を示した説明図である。
【図２】本発明の実施形態である電波修正時計の回路ブロック図である。
【図３】本発明の第１の実施形態である電波修正時計の時差設定方法を示すフローチャートである。
【図４】本発明の第１の実施形態である電波修正時計のカレンダ・秒分修正方法を示すフローチャートである。
【図５】本発明の第２の実施形態である電波修正時計の時差設定方法を示すフローチャートである。
【図６】本発明の第２の実施形態である電波修正時計のカレンダ・秒分修正方法を示すフローチャートである。
【図７】本発明の第２の実施形態である電波修正時計の時・日付修正方法を示すフローチャートである。
【図８】本発明の第１の実施形態である電波修正時計の時差設定モードに於ける表示状態を示す説明図である。
【図９】本発明の第２の実施形態である電波修正時計の時差設定モードに於ける表示状態を示す説明図である。
【図１０】本発明の別の実施形態である電波修正時計を示した説明図である。
【符号の説明】
１、３０  電波修正時計
２  外装
３  表示部
３ａ  秒針
３ｂ  分針
３ｃ  時針
３ｄ  日付表示部
４  受信アンテナ
５  リューズ
６、７  操作ボタン
８  バンド
１０  送信局
１１  送信アンテナ
１２  原子時計
１３  標準電波
２０  受信部
２１  同調ＩＣ
２３  受信ＩＣ
２４  基準信号源
２５  マイコン
２５ａ  制御手段
２５ｂ  時刻修正手段
２５ｃ  計時手段
２５ｄ  時差解除手段
２６  記憶回路
２７  入力操作部
２８  電源部
Ｓ１〜Ｓ６  スイッチ
Ｐ１〜Ｐ６  スイッチ信号
Ｐ１０  同調信号
Ｐ１１  復調信号
Ｐ１２  基準信号
Ｐ１３  計時データ
Ｐ１４  時差データ
Ｐ１５  時刻データ
Ｐ１６  時刻設定データ
Ｐ１７  時差解除信号
Ｐ１８  受信開始信号
【図１】
2005055195.tif 000003
【図２】
2005055195.tif 000004
【図３】
2005055195.tif 000005
【図４】
2005055195.tif 000006
【図５】
2005055195.tif 000007
【図６】
2005055195.tif 000008
【図７】
2005055195.tif 000009
【図８】
2005055195.tif 000010
【図９】
2005055195.tif 000011
【図１０】
2005055195.tif 000012